(57)【要約】      （修正有）【課題】  本発明は、携帯無線通信システムにおいてソフトハンドオーバを管理する方法。【解決手段】携帯無線通信システムにおいて、各セルは、関連するセル内にある複数の移動局および複数の隣接セルのソフトハンドオーバ領域内にある複数の移動局と通信する基地局を有し、ソフトハンドオーバ領域は、隣接セルに対する各セルについて、セルに専用のソフトハンドオーバ窓値によって規定され、現在セルの移動局は、現在セルの基地局から受信されるビーコン信号に対して行われる少なくとも１回の測定と、隣接セルの基地局から受信されるビーコン信号に対して行われる少なくとも１回の測定との差が、ソフトハンドオーバ窓値未満である場合に、現在セルのソフトハンドオーバ領域内にありかつ隣接セルの基地局に接続される。本方法は、各セルのソフトハンドオーバ窓値を、セルのソフトハンドオーバ窓値が異なるように、セルの特徴に応じて設定するステップを含む。【選択図】  図２
2005051767.tif 000002
【特許請求の範囲】
【請求項１】
携帯無線通信システムにおいてソフトハンドオーバを管理する方法であって、
前記携帯無線通信システムにおいて、各セル（１、２、３、４、５、６、７）は、関連するセル内にある複数の移動局（３１）および複数の隣接セルのソフトハンドオーバ領域内にある複数の移動局（３１）と通信する基地局（１１、１２、１３、１４、１５、１６、１７）を有し、
ソフトハンドオーバ領域は、隣接セルに対する各セルについて、セルに専用のソフトハンドオーバ窓値によって規定され、
現在セルの移動局は、現在セルの基地局から受信されるビーコン信号に対して行われる少なくとも１回の測定と、隣接セルの基地局から受信されるビーコン信号に対して行われる少なくとも１回の測定との差が、前記ソフトハンドオーバ窓値未満である場合に、現在セルのソフトハンドオーバ領域内にありかつ隣接セルの基地局に接続される
ソフトハンドオーバを管理する方法において、
前記方法は、各セルのソフトハンドオーバ窓値を、セルのソフトハンドオーバ窓値が異なるように、セルの特徴に応じて設定するステップを含むことを特徴とするソフトハンドオーバを管理する方法。
【請求項２】
各セルのソフトハンドオーバ窓値は、隣り合うセルの特徴にも応じて設定されることを特徴とする請求項１に記載のソフトハンドオーバを管理する方法。
【請求項３】
各セルのソフトハンドオーバ窓値を設定する前記ステップは、少なくともセルの負荷に依存することを特徴とする請求項１または２に記載のソフトハンドオーバを管理する方法。
【請求項４】
各セルのソフトハンドオーバ窓値は、少なくとも１つの隣り合うセルが過負荷状態かまたは低負荷状態である場合にのみ変更されることを特徴とする請求項３に記載のソフトハンドオーバを管理する方法。
【請求項５】
ソフトハンドオーバ窓値を設定する前記ステップは、２つの隣接セルについて、最も大きな負荷を有するセルが最も大きなソフトハンドオーバ窓値を有するようなものであることを特徴とする請求項１〜４のいずれか一項に記載のソフトハンドオーバを管理する方法。
【請求項６】
セル内のサーブされていない移動局の数に従ってセルの負荷を決めるステップを含むことを特徴とする請求項３に記載のソフトハンドオーバを管理する方法。
【請求項７】
セルの基地局によって送信される電力に従ってセルの負荷を決めるステップを含むことを特徴とする請求項３に記載のソフトハンドオーバを管理する方法。
【請求項８】
各セルについて、ソフトハンドオーバ窓値を設定する前記ステップは、所定時間内に繰り返し実施されることを特徴とする請求項１〜７のいずれか一項に記載のソフトハンドオーバを管理する方法。
【請求項９】
各セルのソフトハンドオーバ窓値は、基準ソフトハンドオーバ窓値に利得
【数１】
2005051767.tif 000017
を適用することによって設定されることを特徴とする請求項１〜８のいずれか一項に記載のソフトハンドオーバを管理する方法。
【請求項１０】
前記利得
【数２】
2005051767.tif 000018
は、セルの前記特徴に依存することを特徴とする請求項９に記載のソフトハンドオーバを管理する方法。
【請求項１１】
前記無線通信システムは、３ＧＰＰ  ＴＳ  ＴＳ  ２５．３３１  ｖ５．２．０（２００２−０９）無線資源制御プロトコル仕様に従うＵＭＴＳシステムであり、
基準ソフトハンドオーバ窓値は全てのセル向けであり、
ソフトハンドオーバ窓値を設定する前記ステップは、前記３ＧＰＰ仕様によって規定されたセル個別オフセット（ＣＩＯ）を計算するステップと、前記３ＧＰＰ仕様によって規定されるセル情報を通して前記複数の移動局へ前記セル個別オフセット（ＣＩＯ）をブロードキャストするステップとを含む
ことを特徴とする請求項１〜１０のいずれか一項に記載のソフトハンドオーバを管理する方法。
【請求項１２】
ビーコン信号に対して行われる前記少なくとも１回の測定は、受信されたＥｃ／Ｎｏであることを特徴とする請求項１〜１１のいずれか一項に記載のソフトハンドオーバを管理する方法。
【請求項１３】
ビーコン信号に対して行われる前記少なくとも１回の測定は、受信された経路損失であることを特徴とする請求項１〜１１のいずれか一項に記載のソフトハンドオーバを管理する方法。
【請求項１４】
携帯無線通信システム用の無線ネットワーク制御器（２０）であって、
前記携帯無線通信システムにおいて、各セル（１、２、３、４、５、６、７）は、関連するセル内にある複数の移動局（３１）および複数の隣り合うセルのソフトハンドオーバ領域内にある複数の移動局（３１）と通信する基地局（１１、１２、１３、１４、１５、１６、１７）を有し、
ソフトハンドオーバ領域は、各セルについて、隣り合うセルに対する、セルに専用のソフトハンドオーバ窓値によって規定され、
現在セルの移動局は、現在セルの基地局から受信する電力と隣り合うセルの基地局から受信する電力との差が、ソフトハンドオーバ窓値未満である場合に、現在セルのソフトハンドオーバ領域内にありかつ隣り合うセルの基地局に接続される
無線ネットワーク制御器において、
前記無線ネットワーク制御器は、請求項１〜１３のいずれか一項に記載の方法を適用することによって、各セルのソフトハンドオーバ窓値を、セルのソフトハンドオーバ窓値が異なるように、セルの特徴に応じて設定する手段を含むことを特徴とする無線ネットワーク制御器。
【発明の詳細な説明】
【技術分野】
【０００１】
［発明の詳細な説明］
本発明は、携帯無線通信システム(cellular wireless telecommunication system)においてソフトハンドオーバ(soft handover)を管理する方法に関し、上記携帯無線通信システムにおいて、各セルは、関連するセルにある複数の移動局および複数の隣接セルのソフトハンドオーバ領域内にある複数の移動局と通信する基地局を有し、ソフトハンドオーバ領域は、隣接セルに対する各セルについて、セルに専用のソフトハンドオーバ窓値によって規定され、現在セル(current cell)の移動局は、現在セルの基地局から受信されるビーコン信号に対して行われる少なくとも１回の測定と、隣接セルの基地局から受信されるビーコン信号に対して行われる少なくとも１回の測定との差が、ソフトハンドオーバ窓値未満である場合に、現在セルのソフトハンドオーバ領域内にありかつ隣接セルの基地局に接続される。
【０００２】
携帯無線通信システムは、各セルについて限られた資源を有する。ホットスポット、言い換えれば、大量の資源を必要とするスポットにおいて局所的に利用可能なダウンリンク処理量を最大にすることが共通の目的である。
【０００３】
携帯ネットワーク(cellular network)において、移動度(mobility)管理は、無線資源管理（ＲＲＭ）によって提供されるハンドオーバ(handover)制御によって達成される。無線資源管理（ＲＲＭ）アルゴリズムは、無線インタフェース機能を管理するために、標準化された測定、信号送信、およびシステムパラメータを用いる独占的な(proprietary)アルゴリズムである。
【０００４】
これらのＲＲＭアルゴリズムは、ネットワーク側、一般に無線ネットワーク制御器（ＲＮＣ）にある。ハンドオーバ制御は、移動局（ＵＥ）を１つのセルまたは一組のセルに接続することを担っており、したがって、各セルにおける資源のニーズを確定する。
【０００５】
ＵＭＴＳ（ＦＤＤ）において、ソフトハンドオーバと呼ばれる特定のタイプのハンドオ−バが適用される。ソフトハンドオーバを用いると、ひとつの移動局はいくつかのセルに同時に接続することができる。ソフトハンドオーバによって、一定のダイバーシティ利得がもたらされ、より円滑でかつ漸進的(progressive)なハンドオーバが可能になる。ある時刻に移動局と通信する異なるセルは、移動局の作動状態セット(Active Set：アクティブセット)に登録（list）される。
【０００６】
作動状態セットは、移動局とＵＭＴＳ地上無線無線接続(Terrestrial Radio Access Radio Access)ネットワーク（ＵＴＲＡＮ）との間で同時に用いられる無線リンクを含む。作動状態セットはリンクされたセルのリストを含む。
【０００７】
各セルの範囲(extend)は、受信されたＥｃ／Ｎｏ（チップ当たりのエネルギーとスペクトル雑音電力密度の比）か、または、隣り合うセルの基地局によって送出される現在パイロットチャネル（ＣＰＩＣＨ）の測定された経路損失に従って規定される。
【０００８】
特に、移動局は、そのＣＰＩＣＨの受信されたＥｃ／Ｎｏが最も強い（または、その経路損失が最も小さい）セル内にある。
【０００９】
ソフトハンドオーバを達成するために、３ＧＰＰ  ＴＳ  ２５．３３１  ｖ５．２．０（２００２−０９）無線資源制御プロトコル仕様において、ＲＥＰＯＲＴＩＮＧ＿ＲＡＮＧＥで示すパラメータがＵＭＴＳに対して規定された。
【００１０】
報告範囲は、
ＲＥＰＯＲＴＩＮＧ＿ＲＡＮＧＥ  ＝  ＢＥＳＴ  ＲＥＣＥＩＶＥＤ＿ＣＰＩＣＨ  −  ＳＨＯ＿ＷＩＮＤＯＷ（ｄＢ）
として規定することができ、ここで、
ＢＥＳＴ  ＲＥＣＥＩＶＥＤ＿ＣＰＩＣＨは、受信された最も大きなＥｃ／Ｎｏか、移動局を含むセルに対応するＣＰＩＣＨの最も小さい経路損失のいずれかであり、
ＳＨＯ＿ＷＩＮＤＯＷは、各セルについて定義されるパラメータであり、セルのソフトハンドオーバ領域の範囲を規定する。
【００１１】
報告範囲は、受信された最も大きなＥｃ／Ｎｏか、最も小さい経路損失のいずれかを提供するＣＰＩＣＨを参照して規定される。
【００１２】
ダウンリンクの処理量を最大にするために、ネットワークの各セルの状態を個別に最適化するためのいくつかの解決策が提案されてきた。
【００１３】
【特許文献１】欧州特許出願公開第１１１７２６９号明細書
【００１４】
それでも、全ネットワーク容量の分割(partition)は最適化されない。
【００１５】
本発明の目的は、ネットワークのホットスポットにおいて局所的に利用可能なダウンリンク処理量を最適化する相補的な解決策を提案することである。
【００１６】
したがって、本発明の主題は特許請求項１に規定される方法である。
【００１７】
特定の実施形態によれば、本方法は１つまたは複数の従属請求項の特徴を含む。
【００１８】
本発明は、図面を参照しながら、単に例として与えられる以下の説明を読むと、よりよく理解されるであろう。
【００１９】
携帯ネットワークの一部が図１Ａ、図１Ｂ、および図１Ｃに示される。
【００２０】
携帯ネットワークは、３ＧＰＰによって規定されたＵＭＴＳ（ユニバーサル移動通信システム）規格によると仮定する。
【００２１】
一般的な表現によれば、各セルは六角形で示される。図において、１、２、３、４、５、６、７で示す７つのセルのみが示される。
【００２２】
各セルは、１１、１２、１３、１４、１５、１６、１７で示す基地局をそれぞれ備える。各基地局は、基地局を含むセル内にある移動局、および以下で論じられる、他のセル（隣接してもしなくても）のソフトハンドオーバ領域内にある移動局と通信するようになされている。
【００２３】
基地局は物理的ネットワーク２０を通してリンクされる。
【００２４】
無線ネットワーク制御器２２（ＲＮＣ）はネットワーク２０を通して基地局に接続される。無線ネットワーク制御器は、無線資源管理（ＲＲＭ）アルゴリズを担う。特に、無線ネットワーク制御器２２は、セル間のソフトハンドオーバを管理するアルゴリズムを実施するように、より一般的には、ＵＴＲＡＮを制御するようになされている。
【００２５】
各基地局は、ビーコン信号を送信する現在パイロットチャネル（ＣＰＩＣＨ）上で情報をブロードキャストする。
【００２６】
２つの隣接セル間の境界は、移動局が、２つの基地局によってブロードキャストされたＣＰＩＣＨを受信し、ビーコン信号に対して同じ所定の測定が行われるエリアである。以下の説明において、測定量はたとえばＥｃ／Ｎｏである。別法としては、経路損失が測定量として選択される。以下において、Ｅｃ／Ｎｏに対して定義が与えられる。括弧内で、経路損失に対して同等の定義が与えられる。セルｉおよびｊの間の境界は、
Ｅｃ／Ｎｏ  ＣＰＩＣＨｉ＝Ｅｃ／Ｎｏ  ＣＰＩＣＨｊ［経路損失ＣＰＩＣＨｉ＝経路損失ＣＰＩＣＨｊ］
であるエリアであり、ここで、Ｅｃ／Ｎｏ  ＣＰＩＣＨｋは、チップ当たりのエネルギーと、セルｋの基地局によってブロードキャストされたＣＰＩＣＨｋについて移動局によって受信されたスペクトル雑音電力密度との比である。
【００２７】
ソフトハンドオーバ領域は、各セルに付随するパラメータであるＳＨＯ＿ＷＩＮＤＯＷで示すソフトハンドオーバ窓によって規定される。このパラメータは、無線ネットワーク制御器（ＲＮＣ）によって定義され（実際には、このパラメータはいくつかのパラメータの集合体である）、関連する基地局を通してセルの各移動局へ送出される。
【００２８】
移動局３１は図１Ｂに示すように、セル１内にあると仮定され、そのことは、Ｅｃ／Ｎｏ  ＣＰＩＣＨ１>Ｅｃ／Ｎｏ  ＣＰＩＣＨ２［経路損失ＣＰＩＣＨ１＜経路損失ＣＰＩＣＨ２］であることを意味する。
【００２９】
移動局３１は、
ＲＥＰＯＲＴＩＮＧ−ＲＡＮＧＥ１＜Ｅｃ／Ｎｏ  ＣＰＩＣＨ２、
すなわち、Ｅｃ／Ｎｏ  ＣＰＩＣＨ１−ＳＨＯ＿ＷＩＮＤＯＷ１＜Ｅｃ／Ｎｏ  ＣＰＩＣＨ２である場合、セル１のソフトハンドオーバ窓領域内にある。
【００３０】
換言すれば、隣接セル２の基地局１２から受信される電力は、ソフトハンドオーバ窓によって減った、現在セル１の基地局１１から受信される電力より大きい。
【００３１】
図１Ａ、図１Ｂ、および図１Ｃについて、ソフトハンドオーバ領域は、セルの円形および六角形縁部で境界を定められる。例として提示されるこれらの図面は、明らかにシャドーイングがない場合の特徴を示す。シャドーイングがある場合、ソフトハンドオーバ領域の内部縁部は円形ではないであろう。
【００３２】
本発明の主な着想は、異なるセルのソフトハンドオーバ窓（ＳＨＯ＿ＷＩＮＤＯＷ）を、ネットワーク全体を通して同一に設定しながら、分離することである。
【００３３】
特に、着想は、ソフトハンドオーバ窓の値をセルの負荷レベルにリンクすることである。
【００３４】
例として、アルゴリズムは、各セルについて、サーブされていない移動局の数の観測に基づいてもよい。別の例において、アルゴリズムは、基地局によって伝達される電力を観察することに基づいてもよい。
【００３５】
より正確には、セルが過負荷状態である（すなわち、セルが、すべてのサービスを満たすのに十分な電力を有していなかったために、排除されたコールまたはサーブされていない(un-served)移動局が所定の比率を超える）時に、かつ、そのセルの隣り合うセルのうちの１つのセルが少なくとも低負荷状態である（セルの、阻止されたサービスまたはサーブされていない移動局の比率が所定未満である）時に、ソフトハンドオーバ窓（作動状態セット内の、好ましいリンクと最悪のリンクの間の電力の許容差）はそのセル内で増大して、より多くの数の移動局がソフトハンドオーバ・モードに切り換わり、その後、負荷を隣り合うセルと共有するようになる。反対に、セルが低負荷状態であるが、そのセルの隣り合うセルのうちの１つが少なくとも過負荷である場合、そのセルのソフトハンドオーバ窓は減少して、隣り合うセルに対する無駄なソフトハンドオーバ過負荷が減る。
【００３６】
図１Ｃに示す例について、セル番号１は、過負荷状態になると仮定し、一方、周囲のセル３、４、５、６、および７は低負荷状態になると仮定する。本発明による方法を適用することによって、セル１のソフトハンドオーバ窓は増大するが、セル３〜７のソフトハンドオーバ窓は減少する。通常の負荷状態であったセル２は同じソフトハンドオーバ窓を維持する。
【００３７】
図２は、携帯ネットワークのセル全てについてソフトハンドオーバ窓を繰り返し計算するアルゴリズムを示す。アルゴリズムは、無線ネットワーク制御器（ＲＮＣ）によって連続して実施され、それによって、各セルのソフトハンドオーバ窓が連続して変わることができる。
【００３８】
ステップ１００にて、カウンタｉはｉ＝０で始動される。カウンタｉは、１〜Ｎの番号がつくと仮定されるネットワークのセルに対応する。
【００３９】
ステップ１０２にて、カウンタｉは増加される。
【００４０】
ステップ１０４にて、セルｉの隣り合うセルが特定される。隣り合うセルは、移動局によって受信されたＥｃ／Ｎｏ  ＣＰＩＣＨによって［経路損失によって］それ自体既知であるとして確定される。
【００４１】
セルｉの負荷はステップ１０６にて評価される。負荷は、セル内のサーブされていない移動局の数（たとえば、基地局送信電力も同様に用いられるであろう）に基づいて無線ネットワーク制御器（ＲＮＣ）によって確定される。
【００４２】
セルｉが過負荷状態である場合、ステップ１０８にて、少なくとも１つの隣り合うセルが低負荷状態であるかどうかが調べられる。こうした低負荷状態のセルが検出されると、セルｉのＳＨＯ＿ＷＩＮＤＯＷｉで示す現在のソフトハンドオーバ窓は、次の値
【００４３】
【数１】
2005051767.tif 000003
【００４４】
に設定される。ＳＨＯ＿ＷＩＮＤＯＷｒｅｆは全てのセルに与えられる所定の基準値である。
【００４５】
例として、
【００４６】
【数２】
2005051767.tif 000004
【００４７】
は、移動局の一様な再分割を仮定すると、ソフトハンドオーバへの切り換えを強制される、セル内にある移動局の一部が、最新のサーブされていない移動局の比
【００４８】
【数３】
2005051767.tif 000005
【００４９】
に等しいように計算される。ここで、
【００５０】
【数４】
2005051767.tif 000006
【００５１】
はセルｉに接続されている移動局の数であり、
【００５２】
【数５】
2005051767.tif 000007
【００５３】
はサーブされることができない移動局の数である。
【００５４】
その場合、次のようになる。
【００５５】
【数６】
2005051767.tif 000008
【００５６】
実際、ソフトハンドオーバ領域の有効サイズ（隣り合うＣＰＩＣＨがソフトハンドオーバ窓内で受信されるゾーン）は、サーブされない移動局の比に比例して増加して、隣り合うセルを用いて過負荷を共有することがきる。
【００５７】
ｉ番目のセルについてのソフトハンドオーバ領域の表面の増加はその後、
【００５８】
【数７】
2005051767.tif 000009
【００５９】
に等しいかまたはそれと同等に(equivalently)なる場合があり、円形セル形状近似のセル半径
【００６０】
【数８】
2005051767.tif 000010
【００６１】
を導入する。ここで、
【００６２】
【数９】
2005051767.tif 000011
【００６３】
は、セルに適用されるべきソフトハンドオーバ領域の半径の増加である。
【００６４】
したがって、次の式が成り立つ。
【００６５】
【数１０】
2005051767.tif 000012
【００６６】
α番目の電力伝播則を仮定すると、この半径利得に相当するソフトハンドオーバ窓利得は、次の式に等しい。
【００６７】
【数１１】
2005051767.tif 000013
【００６８】
時間フィルタリングの使用もまた、ネットワークの不安定さを生成する場合がある急な変化を制限するために、ソフトハンドオーバ窓の変動に対して適用されることができる。
【００６９】
低負荷状態のセルが検出されない場合、セルｉが隣り合うセルによって支援される可能性は存在せず、したがって、セルｉのソフトハンドオーバ窓は変わらない。
【００７０】
セルｉが過負荷状態でない（セルが通常の負荷状態であるか、または、セルが低負荷状態であることを意味する）場合、セルｉは、隣り合うセルを支援することができると予想される。
【００７１】
ステップ１１２にて、少なくとも１つの隣り合うセルが過負荷状態であるかどうかが調べられる。過負荷状態である場合、ステップ１１４にて、セルのソフトハンドオーバ窓は、次の値
【００７２】
【数１２】
2005051767.tif 000014
【００７３】
に設定される。
【００７４】
【数１３】
2005051767.tif 000015
【００７５】
は、過負荷状態のセルに対して低負荷状態のセルが生成するソフトハンドオーバのオーバヘッドを大幅に減らす値に任意に設定される。たとえば、次の式である。
【００７６】
【数１４】
2005051767.tif 000016
【００７７】
ステップ１１２にて、過負荷状態の隣り合うセルがない場合、セルｉのソフトハンドオーバ窓は変更されない。
【００７８】
セルｉのソフトハンドオーバ窓が最終的に変化した後、ステップ１１６にて、他のセルがまだ処理されていないかが調べられる。処理されていない場合、ステップ１０２にて、カウンタが増加される。
【００７９】
ＵＭＴＳネットワークにおけるこうした方法の実施は以下のようにして達成されることができる。
【００８０】
各移動局は、その中にセル（そのセルの基地局が移動局と通信する）が登録されている作動状態セットを有する。
【００８１】
ＲＲＣ仕様に記載するように、作動状態セット更新手順は、ＵＭＴＳターミナル・地上無線接続ネットワーク（ＵＴＲＡＮ）によって制御される。
【００８２】
各基地局はパイロットチャネルＣＰＩＣＨを送信する。各移動局は受信されたＣＰＩＣＨの電力に関して測定を行う。
【００８３】
より正確には、第１の実施形態によれば、受信されたＣＰＩＣＨのダウンリンクＥＣ／Ｎ０比が測定され、ＥＣはチップ当たりの受信エネルギーであり、Ｎ０は受信機におけるスペクトル雑音電力密度である。
【００８４】
代替の実施形態によれば、ダウンリンク経路損失は、受信されたＣＰＩＣＨについて測定される。
【００８５】
測定結果に基づいて、各移動局は、測定報告がＵＴＲＡＮに送出されるべきかを判断するための、トリガー基準を適用する。
【００８６】
トリガー基準は、ＵＴＲＡＮによって規定され、各移動局に送出される。
【００８７】
トリガー基準に対応する周波数内(intra-frequency)報告イベントは、ＵＭＴＳ規格によって規定される。報告イベントは、基準に達すると、移動局によってＵＴＲＡＮに送出される。報告イベントは次の通りである。
報告イベント１Ａ：主(primary)ＣＰＩＣＨはソフトハンドオーバ領域に入る。
報告イベント１Ｂ：主ＣＰＩＣＨはソフトハンドオーバ領域から出る。
報告イベント１Ｃ：作動状態にない主ＣＰＩＣＨは、作動状態の主ＣＰＩＣＨよりよくなる。
報告イベント１Ｄ：最良のセルの変更。
報告イベント１Ｅ：主ＣＰＩＣＨは絶対しきい値よりよくなる。
報告イベント１Ｆ：主ＣＰＩＣＨは絶対しきい値より悪くなる。
【００８８】
ソフトハンドオーバ窓は、イベント１Ａ、１Ｂ、および１Ｃに対して与える影響が大きく、より正確には、これらのイベントに対応するトリガー基準は、ソフトハンドオーバ窓によって決まる。
【００８９】
各移動局は、各セルに専用のソフトハンドオーバ窓を知る必要がある。
【００９０】
各ＵＥに信号送信されるソフトハンドオーバ窓に加えて、ＵＴＲＡＮは、ＩＥの「セル情報」に含まれ、測定制御（ＭＥＡＳＵＲＥＭＥＮＴ  ＣＯＮＴＲＯＬ）メッセージに含まれる各測定オブジェクトと関連する、ＣＩＯで示す「セル個別オフセット」(Cell Individual Offset)をブロードキャストすることができる。
【００９１】
次に、移動局は、情報要素（ＩＥ）の「セル情報」において、各主ＣＰＩＣＨについてのセル個別オフセットＣＩＯを受信する。
【００９２】
オフセットＣＩＯは、正かまたは負であることができる。オフセットＣＩＯは、移動局が、イベントが起こったかどうかを評価する前に、測定量に付加される。
【００９３】
ＳＨＯ＿ＷＩＮＤＯＷｒｅｆが、特定のイベントについて一定のソフトハンドオーバ窓であると仮定する場合、ＳＨＯ＿ＷＩＮＤＯＷｉ＝ＳＨＯ＿ＷＩＮＤＯＷｒｅｆ−ＣＩＯｉは、セルｉに専用のそのイベントについての有効ソフトハンドオーバ窓であり、ここで、ＣＩＯｉは、セルｉについてのセル個別オフセットである。
【００９４】
次に、セルのソフトハンドオーバ窓を設定するために、無線ネットワーク制御器は、各移動局によって知られるＳＨＯ＿ＷＩＮＤＯＷｒｅｆを考慮して、新しいＣＩＯを計算し、このＣＩＯを移動局に送出する。
【００９５】
セル個別オフセットは、セル情報ＩＥ（周波数間(inter-frequency)セルおよび周波数内情報リストＩＥの一部）に含まれる、省略値を持つ必須の（省略時の値は０ｄＢに等しい）パラメータであり、任意選択で、システム情報を通してＢＣＨ上に送信される。したがって、このことは、オフセット値がセルレベルでブロードキャストされる時に、専用の信号送信が追加されないことを意味する。
【００９６】
トリガー基準の結果として、測定報告はＵＴＲＡＮに送出される。
【００９７】
移動局によって提供された（また、ＵＴＲＡＮによって信号送信されたソフトハンドオーバ窓に従ってトリガーされた）周波数内測定報告に基づいて、内部無線資源管理（ＲＲＭ）の独占的なアルゴリズムを用いて、ＵＴＲＡＮは、各移動局の作動状態セットに対して、どのセルを追加するか、または削除するかを決定する。必要であれば、ＵＴＲＡＮは次に、作動状態セットの更新メッセージを送出することによって、各移動局が、接続の作動状態セットにおいて、以下の変更を行うことを命ずる。変更は、無線リンク追加（イベント１Ａ）、無線リンク削除（イベント１Ｂ）、または、無線リンク追加および削除の組み合わせ（イベント１Ｃ）である場合がある。
【００９８】
図３は作動状態セット管理例を示す。
【００９９】
この例において、パラメータのヒステリシスおよびトリガーまでの時間ならびに全てのセルについてのセル個別オフセットは０に等しい。主ＣＰＩＣＨ１および２に対応するセルは、（２つのセルのみを含むように構成された）作動状態セット内にあるが、主ＣＰＩＣＨ３およびＣＰＩＣＨ４を送信するセルは、最初は作動状態セット内にはない。
【０１００】
主ＣＰＩＣＨ４が主ＣＰＩＣＨ２よりよくなると、第１の測定報告（イベント１Ｃ）が送出される。測定報告の「セル測定イベント結果」は、主ＣＰＩＣＨ４および主ＣＰＩＣＨ２の情報を含む。
【０１０１】
作動状態セットが、第１の測定報告後に更新されたと仮定すると、その後、作動状態セットは、主ＣＰＩＣＨ１および主ＣＰＩＣＨ４である。主ＣＰＩＣＨ３が主ＣＰＩＣＨ１よりよくなると、第２の測定報告（イベント１Ｃ）が送出される。第２の測定報告の「セル測定イベント結果」は、主ＣＰＩＣＨ３および主ＣＰＩＣＨ１の情報を含む。第２の測定報告を受信後、移動局の作動状態セットは、主ＣＰＩＣＨ４および主ＣＰＩＣＨ３を含むように更新される。
【０１０２】
図４において、オフセットＣＩＯは主ＣＰＩＣＨ３に追加される。次に、Ｐ’ＣＰＩＣＨ３で示す点の曲線（ＣＰＩＣＨ３  Ｅｃ／Ｎｏに等しい）を用いて、Ｐ  ＣＰＩＣＨ３曲線の代わりにイベントが起こるかどうかが評価される。次に、移動局でのイベントの評価の前に、主ＣＰＩＣＨ３に正のオフセットが適用される。このことは、移動局からＵＴＲＡＮへの測定報告は、主ＣＰＩＣＨプラス対応するオフセット、すなわち点の曲線が、報告範囲を出入りする時で、かつ、（これらのイベントがＵＴＲＡＮによって命ぜられる場合）主ＣＰＩＣＨよりよくなる時にトリガーされるということを意味する。このオフセット機構は、個別の主ＣＰＩＣＨ測定の報告範囲を変更するための有効なツールをネットワークに提供する。
【図面の簡単な説明】
【０１０３】
【図１Ａ】全てのセルが正常な負荷状態である携帯ネットワークの略図である。
【図１Ｂ】ソフトハンドオーバ領域の規定を説明する、２つの隣接セルの略図である。
【図１Ｃ】セルが異なる負荷を有し、本発明に従って異なるソフトハンドオーバ窓を有する、携帯ネットワークの略図である。
【図２】本発明に従って、ソフトハンドオーバ領域を形作るアルゴリズムのフローチャートである。
【図３】本発明を実施することなく、移動局についてＣＰＩＣＨの受信電力対時間を示す曲線である。
【図４】本発明を実施する時の、移動局についてＣＰＩＣＨの受信電力対時間を示す曲線である。
【図１Ａ】
2005051767.tif 000019
【図１Ｂ】
2005051767.tif 000020
【図１Ｃ】
2005051767.tif 000021
【図２】
2005051767.tif 000022
【図３】
2005051767.tif 000023
【図４】
2005051767.tif 000024
【外国語明細書】
2005051767.tif 000025
2005051767.tif 000026
2005051767.tif 000027
2005051767.tif 000028
2005051767.tif 000029
2005051767.tif 000030
2005051767.tif 000031
2005051767.tif 000032
2005051767.tif 000033
2005051767.tif 000034
2005051767.tif 000035
2005051767.tif 000036
2005051767.tif 000037
2005051767.tif 000038
2005051767.tif 000039
2005051767.tif 000040
2005051767.tif 000041
2005051767.tif 000042
2005051767.tif 000043